(57)【特許請求の範囲】
【請求項１】
通信回線を介して複数の情報サーバに対して情報提供の要求を送信すると共に前記複数の情報サーバより複数の種類の情報を受信する送受信手段と、前記送受信手段により受信した前記複数の情報の種類を識別する情報識別手段と、前記情報を解析し、この情報に含まれる少なくとも何れかのマークアップ言語を含む表示態様命令を抽出する解析手段と、前記解析手段により抽出された前記表示態様命令に基づいて前記情報を表示する情報表示手段とを具備し、
前記通信回線を介して受信した情報が複数あり、前記解析手段で抽出したそれぞれの情報の表示態様命令が１つの表示画面の全体に１つの情報を表示するように指示していた場合、前記情報表示手段は、１つの表示画面を複数の領域に分割して個々の情報を分割された領域の各々に割り当てて、複数の情報を１つの画面に表示すると共に、
前記解析手段は、前記情報を解析すると共に、この情報に含まれ、かつ、前記情報サーバを特定するために予め決められたサーバ特定識別子を検出する機能を具備し、前記解析手段により抽出したサーバ特定識別子が所定の情報サーバの識別子であった場合、前記通信回線の中から予め決められた所定スロットの情報を、前記送受信手段にて受信して、前記サーバ特定識別子は、前記所定スロットの情報の表示領域を指定する情報を更に含み、前記情報表示手段は、前記送受信手段が受信した前記所定スロットの情報を、前記表示領域を指定する情報に基づいて表示することを特徴とする情報通信端末装置。
【請求項２】
前記情報表示手段は、前記送受信手段が前記情報表示手段に表示すべき複数の情報を同時に受信した場合には、これら複数の情報から抽出した前記表示態様命令に拘わらず、前記複数の情報を１つの表示画面内の分割した領域に各々割り当てて、複数の情報を１つの画面に表示することを特徴とする請求項１記載の情報通信端末装置。
【請求項３】
前記情報識別手段は、前記情報の種類を特定するために通信プロトコルのヘッダ情報を用いて区別することを特徴とする請求項１記載の情報通信端末装置。
【請求項４】
前記情報表示手段が表示する１つの表示画面を複数の領域に分割するための情報を有する画面分割指示テーブルと、をさらに備え、
前記通信回線を介して受信した情報が複数あり、前記解析手段で抽出した、それぞれの情報の表示態様命令が１つの表示画面の全体に１つの情報を表示するように指示していた場合、前記情報表示手段は、１つの表示画面を複数の領域に分割して個々の情報を分割された領域の各々に割り当てて、複数の情報を１つの画面に表示するか、前記複数の情報のうちの何れか１つの情報のみを表示するかについて、前記画面分割指示テーブルの情報に基づいて決定し、表示することを特徴とする請求項１に記載の情報通信端末装置。
【請求項５】
前記情報表示手段は、該情報通信端末装置が前記情報提供の要求を自ら送信すると共にこの要求に基づいた情報の受信を行なっていない場合には、前記通信回線の予め決められたスロットの情報を受信し、該スロットで受信した情報を表示し、該情報通信端末装置が前記情報提供の要求を自ら送信すると共に前記要求に基づいた情報を受信している場合には、この情報そのものを表示することを特徴とする請求項１に記載の情報通信端末装置。
【発明の詳細な説明】
【０００１】
【発明の属する技術分野】
本発明は情報通信端末装置に係り、例えば無線通信回線等を介して受信された情報の表示の仕方を改善した情報通信端末装置に関するものである。
【０００２】
【従来の技術】
近年、情報通信分野における技術の進歩により、公衆電話回線網を介して音声通話を行なうばかりでなく、例えば文字や画像情報の通信を行なうユーザが急激に増加してきている。また、携帯電話等の無線通信を利用するユーザが増加するのに伴い、無線通信においても音声通話がその大部分を占めていたアプリケーションに変化の兆しがみられるようになってきている。特に、移動無線通信環境においても、屋内で利用する固定パソコンと同じサービスを受けたいといった要求が起きてきている。これに対応したサービスも種々提案されてきており、最も手軽なテキストベースによるメール機能や、移動しているという特性を活かした位置情報サービスがその例としてあげられる。
【０００３】
これらのサービスにおいては、一般に、その情報のやりとりに、ＴＣＰ／ＩＰ／ＨＴＴＰ（Transmission Control Protocol/Internet Protocol / Hyper Text Transfer Protocol）というプロトコル群を用いている。すなわち情報の送受信は、このプロトコル上のアプリケーション記述言語としてのスクリプトを伝送することにより行なわれている。このアプリケーション記述言語として広く用いられているものとして、ＨＴＭＬ（Hyper Text Markup Language）がある。
【０００４】
このＨＴＭＬの内容は、図８に示すようになっており、テキストを超越したという名前から分かるように、情報そのものに加えてハイパーテキスト構造体を利用したリンク先情報も使用できる。その情報（ファイル）自体がリンク先として参照されていることもある。そのため、１つのサーバに情報源を固定させることはない。
【０００５】
これら情報を欲しているユーザは、前記プロトコルを用いて前記サーバにアクセスすればよい。通常、ユーザはブラウザと呼ばれるアプリケーションを用いて情報入手の操作を行なう。サーバからはＨＴＭＬスクリプトが送信されてくることになる。このＨＴＭＬスクリプトをブラウザが解釈し、ブラウザ上に情報を開いてディスプレイ上に表示するのが一般的である。このようなサーバは、一般にｗｅｂサーバ、ｗｗｗサーバなどと呼ばれ、サービス全体を総称してｗｅｂサービス、ｗｗｗサービスなどと呼ばれている。
【０００６】
【発明が解決しようとする課題】
以上述べてきたようなｗｅｂサービスは、ユーザが欲しい情報を自ら要求してその情報の提供を受けるという仕組みになっており、例えば放送のように、常に流されて（ブロードキャストされて）いる情報を取得することを可能とする仕組みに欠けている。上述のように、ｗｅｂサービスはあくまでユーザが欲する情報を特定し、その要求をサーバに送信し、ユーザが要求している情報をサーバが送り返すという手順を踏むのである。
【０００７】
これに対して、定期的に必要となる情報の提供を予め予約しておいて必要な情報の提供を定期的に受けるプッシュサービスというものも存在する。しかしながら、このプッシュサービスは、あくまでもユーザが一度リクエストを出し、予めそのサービスの定期的な提供をサーバに登録しておくというプロセスが必要である。つまり、これもユーザから何かしらのアクションがあってはじめて情報が送信されてくるのである。
【０００８】
このように、通信事業者，コンテンツ製作者，サーバ設置者等の情報提供者側が不特定多数のユーザに対して情報を送信する仕組みや、またその情報をユーザが受信し、表示する仕組みは今のところ存在していない。また、ＨＴＭＬスクリプトは１スクリプトあたり１画面（１ブラウザ）となっている。フレーム技術を用いて、１つの画面内を仮想的に複数のウインドウに分けたように表示することも可能ではあるが、これも１つのスクリプト上に書いてある指示に従ったものである。
【０００９】
つまり、上記のようなユーザの意図しない情報とユーザが意図する情報、つまり、互いに独立な（リンクを辿ることによっては容易に探索できない）２つ以上のＨＴＭＬスクリプトを１つの画面上に表示する仕組みはないのである。したがって、２つの情報を同時に１画面に表示するためには、２つのブラウザを起動してから画面を半分に分けるという操作を行ない、１つの画面内にてブラウザのウインドウを複数配置するといったようなユーザの作業を必要とするという問題があった。
【００１０】
また、セッション層やアプリケーション層等の上位層と、物理層やデータリンク層等の下位層との間で情報を相互に交換し、その情報に基づいてそれぞれの層における制御を行なうということは通常はあまり行なわれていない。例えば、物理的に（物理層の）回線が切断された場合というように、極めて簡単なケースに行なわれるのみである。このように上位層と下位層との間で情報を交換できるようにすれば、ユーザにとってはより都合が良くかつ多彩なサービスを受けられることになるが、現時点ではこのような上位層・下位層間での情報の交換は行なわれていない。
【００１１】
本発明は、上述した問題を解決するために為されたものであり、複数の情報を異なる情報提供者より提供された場合であっても、端末側で１つの画面上に複数の表示領域を設定してそれぞれの領域毎に提供された複数の情報を当てはめて表示することにより、スクリプト上の指示によらなくても複数の情報を同時に１つの画面上に表示することができると共に、上位層・下位層間での情報の交換を行なうことができる情報通信端末装置を提供することを目的としている。
【００１２】
【課題を解決するための手段】
上記目的を達成するため、本発明の基本構成に係る情報通信端末装置は、通信回線を介して複数の情報サーバに対して情報提供の要求を送信すると共に前記複数の情報サーバより複数の種類の情報を受信する送受信手段と、前記送受信手段により受信した前記複数の情報の種類を識別する情報識別手段と、前記情報を解析し、この情報に含まれる少なくとも何れかのマークアップ言語を含む表示態様命令を抽出する解析手段と、前記解析手段により抽出された前記表示態様命令に基づいて前記情報を表示する情報表示手段とを具備し、前記通信回線を介して受信した情報が複数あり、前記解析手段で抽出したそれぞれの情報の表示態様命令が１つの表示画面の全体に１つの情報を表示するように指示していた場合、前記情報表示手段は、１つの表示画面を複数の領域に分割して個々の情報を分割された領域の各々に割り当てて、複数の情報を１つの画面に表示すると共に、前記解析手段は、前記情報を解析すると共に、この情報に含まれ、かつ、前記情報サーバを特定するために予め決められたサーバ特定識別子を検出する機能を具備し、前記解析手段により抽出したサーバ特定識別子が所定の情報サーバの識別子であった場合、前記通信回線の中から予め決められた所定スロットの情報を、前記送受信手段にて受信して、前記サーバ特定識別子は、前記所定スロットの情報の表示領域を指定する情報を更に含み、前記情報表示手段は、前記送受信手段が受信した前記所定スロットの情報を、前記表示領域を指定する情報に基づいて表示することを特徴としている。
【００１３】
また、上記基本構成に係る情報通信端末装置において、前記情報表示手段は、前記送受信手段が前記情報表示手段に表示すべき複数の情報を同時に受信した場合には、これら複数の情報から抽出した前記表示態様命令に拘わらず、前記複数の情報を１つの表示画面内の分割した領域に各々割り当てて、複数の情報を１つの画面に表示するように構成しても良い。
【００１４】
また、上記基本構成に係る情報通信端末装置において、前記情報識別手段は、前記情報の種類を特定するために通信プロトコルのヘッダ情報を用いて区別するように構成しても良い。
【００１５】
さらに、上記基本構成に係る情報通信端末装置において、前記情報表示手段が表示する１つの表示画面を複数の領域に分割するための情報を有する画面分割指示テーブルをさらに備え、前記通信回線を介して受信した情報が複数あり、前記解析手段で抽出した、それぞれの情報の表示態様命令が１つの表示画面の全体に１つの情報を表示するように指示していた場合、前記情報表示手段は、１つの表示画面を複数の領域に分割して個々の情報を分割された領域の各々に割り当てて、複数の情報を１つの画面に表示するか、前記複数の情報のうちの何れか１つの情報のみを表示するかについて、前記画面分割指示テーブルの情報に基づいて決定し、表示するようにしても良い。
【００１８】
さらに、上記基本構成に記載の情報通信端末装置において、前記情報表示手段は、該情報通信端末装置が前記情報提供の要求を自ら送信すると共にこの要求に基づいた情報の受信を行なっていない場合には、前記通信回線の予め決められたスロットの情報を受信し、該スロットで受信した情報を表示し、該情報通信端末装置が前記情報提供の要求を自ら送信すると共に前記要求に基づいた情報を受信している場合には、この情報そのものを表示するようにしても良い。
【００１９】
【発明の実施の形態】
以下、本発明に係る情報通信端末装置の好適な実施形態について添付図面を参照しながら詳細に説明する。図１ないし図３は、本発明の第１実施形態に係る情報通信端末装置のシステム構成およびシステム動作例をそれぞれ示すブロック図および概略正面図である。
【００２０】
図１に示す第１実施形態に係る情報通信端末装置は、端末装置としての携帯無線端末１と、例えば無線回線等の通信路６と、この通信路６を介して携帯無線端末１に種々の情報を提供する第１および第２の情報サーバ７および８と、を備えている。携帯無線端末１は、通信路６を介して第１および第２の情報サーバ７および８に対して所望の情報提供の要求を送信すると共にそれぞれのサーバ７および８からの情報を受信する送受信手段としての送受信部２と、この送受信部２により受信された情報の種類を識別する情報識別手段としての情報識別部３と、前記情報に付加された情報の表示態様命令を前記情報から翻訳する情報翻訳部４と、前記情報翻訳部４により翻訳された前記表示態様命令に従って前記情報を表示する情報表示手段としての情報表示部５と、を備えている。情報翻訳部４は、前記情報を解析してこの情報に含まれる表示態様命令を抽出する解析手段として機能している。
【００２１】
前記情報翻訳部４は、通信路６を介して受信された情報が複数ある場合に、それぞれの情報の表示態様命令が１つの表示画面の全体に１つの情報を表示するように指示していたとしても１つの表示画面を複数の領域に分割して個々の情報を分割された領域の各々に割り当てて、複数の情報を１つの画面に表示するように前記情報表示部５を制御している。
【００２２】
次に、第１実施形態に係る情報通信端末の動作について図１を参照しながら説明する。まず、無線端末１はユーザの要求に従い第１の情報サーバ７から情報Ａを受信中である。一方、同時に送受信部２は第２の情報サーバ８からの情報Ｂも受信可能であり、情報識別部３は受信可能であることを送受信部２から伝えられる。情報識別部３は情報Ａおよび情報Ｂの両方を情報表示部５上に表示することを決定すると、送受信部２にこれまでの情報Ａに加え、情報Ｂを受信することと、情報翻訳部４に対して、前記情報Ａおよび情報Ｂを同時に画面に表示することを指示する命令を伝える。この時情報識別部３は情報Ａおよび情報Ｂの識別方法について通信プロトコルのヘッダ情報を用いても良い。情報翻訳部４は前記送受信部２により受信された情報Ａおよび情報Ｂの内容を解釈する。
【００２３】
そして、情報翻訳部４は情報Ａおよび情報Ｂの表示領域４１，４２のサイズを確認する。この場合、図３（ａ）の情報Ａは画面の横方向を略々すべて使用し、縦方向は約１／３を利用するような画像、図３（ｂ）の情報Ｂは情報量が多く、縦方向は１つの画面では足らないが、画面の横方向すべてを必要とするテキストが含まれていることを理解する。そこで、情報翻訳部４は通常１つの画面上を縦方向に３等分し、上の１つ分の領域を情報Ａ、下の２つ分を情報Ｂが使用することに決定し、１つの画面上に図２のように両方の情報を表示する。
【００２４】
以上の動作により、ウインドウを利用して１つの表示画面を幾つかの領域に分割する等のように、ユーザが何らの作業を行なわなければならないという従来の煩雑さを解消することができ、自動的に同じ画面に表示することが可能となってユーザの利便性が高くなる。また、情報識別部３が情報の識別方法に通信プロトコルのヘッダ情報を用いることにより、付加的な情報を加える必要がなくなるため、通信路の効率化にもつながることになる。
【００２５】
次に、本発明の第２実施形態に係る情報通信端末装置について図４を参照しながら説明する。この第２実施形態に係る情報通信端末装置が、図１に示した第１実施形態の装置と異なる構成は、無線携帯端末１の内部に画面分割指示テーブル９を備えている点にある。すなわち、図４に示すように、無線携帯端末１は情報識別手段としての情報識別部３に画面分割指令を出力する画面分割指示テーブル９を備えている。
【００２６】
無線端末１の送受信手段としての送受信部２は、ユーザの要求に従い第１の情報サーバ７から情報Ａを受信中である。一方、送受信部２により第２の情報サーバ８からの情報Ｂも同時に受信可能であることを情報識別部３は送受信部２から伝えられる。情報識別部３は画面分割指示テーブル９を参照する。画面分割指示テーブル９には、ユーザと通信事業者の契約により、第２の情報サーバからの情報Ｂを受信し、表示するかどうかの画面分割指示情報が含まれている。
【００２７】
この画面分割指示テーブル９内にある画面分割指示情報は、契約形態により予め画面分割指示テーブルに入力されている場合もあれば、必要に応じて、ネットワーク内の画面分割指示サーバなどに画面分割指示情報を要求してもよい。
【００２８】
情報識別部５は画面分割指示テーブル９内の画面分割指示情報を理解することにより、第２の情報サーバ８からの情報Ｂも表示するよう指示されていた場合は２つの情報を受信して１つの画面上に表示することを決定し、また、情報Ｂからの情報は必ずしも表示するよう示されていない場合には、何れか一方の情報を表示することを決定する。
【００２９】
送受信部２にこれまでの情報Ａに加え、情報Ｂを受信することと、解析手段としての情報翻訳部４に対して、前記情報Ａおよび情報Ｂを同時に画面に表示することを指示する命令を伝える。情報Ａおよび情報Ｂの何れかを画面上に表示する場合は、送受信部２を介して前記情報Ａおよび情報Ｂを受信した情報翻訳部４は前記情報Ａおよび情報Ｂの内容を解析し、通常１つの画面上に図３（ａ）（ｂ）のように個別に表示されるはずの情報を、図２に示すように、両方の情報を並べた状態で１つの画面上に表示する。
【００３０】
情報Ａおよび情報Ｂの何れかを画面上に表示する場合は、例えば情報Ａのみを画面上に表示する場合は前記情報Ａを送受信部２を介して受信した情報翻訳部４は前記情報Ａを今まで通り１つの画面上に図３のように表示する。以上の動作により、ユーザと通信事業者の契約形態やユーザの要求を組み入れることができるため、より木目の細かいサービスの提供と享受が可能となる。
【００３１】
次に、図５を参照しながら本発明の第３実施形態に係る情報通信端末装置について説明する。図５において、第３実施形態に係る情報通信端末装置は、携帯無線端末１１と、無線通信回線としての通信路１６と、情報Ａを提供する第１の情報サーバ１７と、情報Ｂを提供する第２の情報サーバ１８と、を備えている。携帯無線端末１１は、通信路１６を介して第１および第２の情報サーバ１７および１８との間で通信を行なって情報を送受信する送受信手段としての送受信部１２と、受信した情報を解析しこの情報に含まれるサーバ特定識別子を検出する解析手段としての情報翻訳部１４と、この情報翻訳部１４より翻訳されて抽出された情報を１つの画面に表示する情報表示手段としての情報表示部１５と、を備えている。
【００３２】
図６は、本発明の第３実施形態に係る情報通信端末装置に対応するシステムの動作例を説明するための無線フレームを示したものである。無線区間の１フレームは複数のスロットから成り立っている。この複数のスロットを情報ごとに切り分けて使用する。１つの情報あたりのスロット数は１つ以上であり、複数まとめて使用することもできる。
【００３３】
図６に示すように情報Ａは第３スロットと第４スロットの２つを、情報Ｂは第６〜８スロットの３つを利用して送受信されている。すなわち、情報Ａを受信している状態とは、この無線フレームの第３および第４スロットから送信されてくる情報を受信していることに他ならない。このように所定のスロットには所定の情報が割り当てられていること、情報表示手段の所定の領域に所定の情報が表示されていること、送受信手段が受信した所定スロットの情報をサーバ特定識別子が含む情報表示領域を指定する情報を解析すること、の３つにより情報表示手段は特定の情報を特定の表示領域に表示することができることになる。
【００３４】
次に、第３実施形態に係る情報通信端末の動作について図５および図６を参照して説明する。無線端末１１は、通信回線としての通信路１６を介して第１の情報サーバ１７より情報Ａを受信している。これは第３および第４スロットを受信していることを意味する。一方、無線端末１１の送受信部１２は、第２の情報サーバ１８から通信路１６を介して送信されてくる情報Ｂを受信可能な状態にある。これは、第６〜８スロットを受信できる状態にあることを意味する。
【００３５】
このとき、無線端末１１は送受信部１２を介して情報Ａを受信し、これを解析手段としての情報翻訳部１４に送信する。情報翻訳部１４は情報Ａを翻訳する過程で予め決められたサーバ識別子を発見した場合、送受信部１２にその旨を通知すると共に、翻訳した情報を情報表示部１５に送信する。
【００３６】
一方、送受信部１２は第２の情報サーバ１８から送信されている情報Ｂを受信することのできる第６〜８スロットを受信する。第６〜８スロットを受信することにより得られた情報Ｂは、端末１１の送受信部１２を通して情報翻訳部１４に送信される。情報翻訳部１４は情報Ｂが予め決められた前記サーバ識別子に対応する情報であることを識別し、前記情報Ｂを前記情報Ａ内の予め決められたサーバ識別子に対応する情報表示部１５の表示位置に表示する。
【００３７】
以上の処理動作により、ブロードキャスト情報に関しては、予め決められたサーバ識別子で情報を送受信できるようになるため、ブロードキャスト情報をより簡単に取り扱うことが可能になる。この第３実施形態に係る情報通信端末装置は、第１および第２実施形態に係る端末装置のように情報識別部３を設けておかなくても予め決められているサーバ識別子を用いることにより複数の情報サーバからの情報について１つの画面を分割して同時に表示できるようになる。
【００３８】
次に、本発明の第４の基本構成に関連する第４実施形態に係る情報通信端末装置について図７を参照しながら詳細に説明する。図７において、第４実施形態に係る端末装置は、携帯無線端末２１と、例えば無線通信回線としての通信路２６と、情報Ａを送信する第１の情報サーバ２７と、情報Ｂを送信する第２の情報サーバ２８と、を備えている。第４実施形態における端末２１は、通信路２６を介して第１および第２の情報サーバ２７および２８との間で情報の送受を行なう送受信手段としての送受信部２２と、送受信部２２により受信された情報を選択することにより情報の表示制御を行なう情報制御部２３と、情報制御部２３の制御に基づいて送受信部２２の受信した情報の提供を受けて情報の内容を解釈して出力する情報翻訳部２４と、情報翻訳部２４から送られてきた複数の情報を１つの画面の所定の領域にそれぞれ表示する情報表示手段としての情報表示部２５と、を備えている。
【００３９】
このような第４実施形態に係る情報通信端末の動作について説明する。まず、無線端末２１の送受信部２２は、通信回線としての通信路２６を介して情報Ａの提供を受けたい旨の要求信号を第１の情報サーバ２７に対して送信している。一方で、無線端末２１は第２の情報サーバ２８から通信回線２６に送信されている情報Ｂを通信路２６および送受信部２２を介して受信できる状態にある。
【００４０】
このとき、第１の情報サーバ２７からの情報Ａがまだ受信されていないことを確認した場合、情報制御部２３は送受信部２２に対して情報Ｂを受信するように指示する。情報制御部２３のこの指示に基づき、送受信部２２は第２の情報サーバ２８より供給されてくる情報Ｂを受信して情報翻訳部２４に転送し、情報翻訳部２４はこの情報Ｂを情報表示部２５に出力し、情報表示部２５は、連続する表示時間の中で、あいている時間内で１つの画面にこの情報Ｂを表示する。
【００４１】
次に、第１の情報サーバ２７が情報提供の要求信号に応答して情報Ａを送信したきた場合には、情報制御部２３は送受信部２２に対して情報Ｂの受信を中止するよう指示し、情報翻訳部２４は情報Ａを送受信部２２により受信して、情報表示部２５にこの情報Ａを転送する。情報表示部２５は、ユーザが提供要求を出した情報Ａを表示するため、その時点で表示している情報Ｂの表示から情報Ａの表示へと表示内容を切り換える。
【００４２】
以上の動作により、ユーザは、自分が提供を求めている情報Ａについて要求を出してから実際の提供があるまでの待ち時間を利用して、別な情報を表示させることにより、ユーザの待ち時間を有効に利用することができ、また、特定の情報をユーザが見る時間を長くすることが可能になる。例えば、情報Ｂがいわゆるコマーシャルメッセージの場合、ユーザは自分が提供を求めている情報Ａが通信路２６を介して提供されてくるまでの時間を単調な画面を眺めて待つのではなく、例えば新製品の情報や新たな情報提供サービスの内容等を取得しながら待つことができるようになる。このような情報提供形態に課金システムを組み合わせれば、有料の情報Ａの配信に際する料金の何割かを、情報Ｂの提供者が負担するという情報提供システムを構築することも可能となり、情報提供産業の分野における有効性が大幅に向上することにもなる。
【００４３】
【発明の効果】
以上、詳細に説明したように、本発明に係る情報通信端末装置は、ユーザがサーバからの提供を希望する情報と、ユーザが特に希望しない情報とを互いに独立した情報として受信しつつ、複数の情報を１つの画面上または所定の時間間隔を利用して略々同時に表示することを可能にすることにより、ユーザの利便性を高めると共に、ユーザ、通信事業者、コンテンツ製作者、広告代理店、広告発注者等間で様々なサービスの実施や契約形態の実施のための選択肢を拡大することが可能になる。
【図面の簡単な説明】
【図１】本発明の第１実施形態に係る情報通信端末装置の構成を示すブロック図。
【図２】第１実施形態の情報通信端末装置の動作を説明する正面図。
【図３】第１実施形態の情報通信端末装置における（ａ）情報Ａ用、（ｂ）情報Ｂ用の表示領域をそれぞれ示す正面図。
【図４】本発明の第２実施形態に係る情報通信端末装置の構成を示すブロック図。
【図５】本発明の第３実施形態に係る情報通信端末装置の構成を示すブロック図。
【図６】第３実施形態および第４実施形態の情報通信端末装置の動作を説明するために情報フレームの構成を示すタイムチャート。
【図７】本発明の第４実施形態に係る情報通信端末装置の構成を示すブロック図。
【図８】一般的なＨＴＭＬスクリプトの例を示す説明図。
【符号の説明】
１，１１，２１  情報通信端末装置（携帯無線端末）
２，１２，２２  送受信部
３  情報識別部
４，１４，２４  情報翻訳部
５，１５，２５  情報表示部
６，１６，２６  通信路（無線通信回線）
７，１７，２７  第１の情報サーバ（情報Ａ）
８，１８，２８  第２の情報サーバ（情報Ｂ）
２３  情報制御部
【図１】
0003944332.tif 000002
【図２】
0003944332.tif 000003
【図３】
0003944332.tif 000004
【図４】
0003944332.tif 000005
【図５】
0003944332.tif 000006
【図６】
0003944332.tif 000007
【図７】
0003944332.tif 000008
【図８】
0003944332.tif 000009